(57)【特許請求の範囲】
【請求項１】
折り曲げあるいは曲面を形成する複数枚のシートにおいて、隣接したシート（１）の端面を引き寄せ突き合せて二本の棒状材（２）で挟んで固定して、シート（１）の端面を引き寄せ突き合せた面が外側に、棒状材（２）で挟んで固定した面が内側になるように、筒状に繋ぐことでランプシェードを構成し、隣接したシート（１）を挟んで固定した状態の二本の棒状材（２）を突き合せて支柱にして、スタンドライトを形成した、照明具。
【請求項２】
折り曲げあるいは曲面を形成する複数枚のシートにおいて、隣接したシート（１）の端面を引き寄せ突き合せて二本の棒状材（２）で挟んで固定して、シート（１）の端面を引き寄せ突き合せた面が外側に、棒状材（２）で挟んで固定した面が内側になるように、筒状に繋ぐことでランプシェードを構成し、二本の棒状材（２）で挟んで固定した状態の隣接したシート（１）の間に、吊り下げ盤（９）を挟んで固定して、ペンダントライトを形成した、照明具。
【請求項３】
二本の棒状材（２）で挟んで固定した状態の隣接したシート（１）の間に、各種かたちの付加部材（８）を追加して取りつけた、請求項１又は２記載の照明具。
【請求項４】
棒状材（２）を半割り丸棒にして、突き合せると丸棒状になる、請求項１〜３のいずれかに記載の照明具。
【発明の詳細な説明】
【技術分野】
【０００１】  この発明は、照明具に関するものである。
【背景技術】
【０００２】  従来のものは、かたちがそれぞれに独立していてかさばる容積で固定したものが一般的である。
【発明の開示】
【発明が解決しようとする課題】
【０００３】  従来、ランプシェードはフレームと共にそれぞれに独立して固定した立体容積を持ち、部材の共通性や互換性がなく、組み立て分解を意識した仕組みのものが少ない。組み立てや分解を意識した全体の仕組みが工夫され、部材の共通性や多様なかたちの展開を可能にする効果的なシステムを持つものでありたい。この発明は、上記のような課題に答える技術を提供することを目的としている。
【課題を解決するための手段】
【０００４】  この発明は、上記課題に対して次のような手段を取っている。即ち、折り曲げあるいは曲面を形成するシートの左右端面を引き寄せ突き合せて縦方向の棒状材で挟んで固定した状態で繋ぐことで、ランプシェードを構成する仕組みとしている。また、シートの左右両端部をそれぞれに縦方向の棒状材で挟んで固定した状態にして、両端部を引き寄せ結合してランプシェードを構成する仕組みとしている。さらに棒状材を、半割丸棒にして合せると丸棒状になるように工夫している。
【発明の効果】
【０００５】  この発明によると、全体の構成がシンプルで組み立て製作が簡単である。ランプシェードはさまざまなかたちを持ちながらも、構成部材はいずれも共通性や互換性を持ったものを基本にして組み立てている。特に、縦方向の棒状材でシートを挟んで固定した状態にする共通の基本手法は、折り曲げあるいは曲面を形成した状態など様々なかたちのシートを一重にあるいは重ねて組み合せて、しかも各種の付加部材を容易に止め付けることができる。共通の部材をベースにしながらも、多様なかたちを生みだす展開性に富んでいる。また、縦方向の棒状材で構成する手法は、吊り下げ型のペンダントライトから支柱を持つスタンドライトまで照明具としての機能形態に広く対応できる。さらに、棒状材を半割丸棒にして合せると丸棒状になる手法は、シートなどを挟んで止めるのが楽になるほか、リング金物の利用など結合手段に合理性をもたらす。また、丸棒状の支柱を上下方向に直立してのばした形態は、照明具全体をまとめる意匠効果として特異である。
【発明を実施するための最良の形態】
【０００６】  本発明の形態手法はシンプルである。以下図面により説明する。
【実施例１】
【０００７】  図１は、曲面を形成した三枚のシート１でランプシェードを構成した実施例を示す斜視図である。なお、内側がわかるようにシート１の一部を切除している。三枚のシート１の左右端面を引き寄せ突き合せて、縦方向の棒状材２で挟んで固定した状態で繋ぐことで、ランプシェードを構成している。棒状材２は半割丸棒にして、突き合せたシート１を挟んで固定した状態で合わさり丸棒状になっている。丸棒状をした縦方向の棒状材２が上下方向に直立してのびて、三本の支柱を形成している。支柱の上部は固定したシート１の上端からさらに上方向にのびている。支柱の下方向は台座３に固定している。シート１の左右端面は引き寄せ突き合せて結合し、半割丸棒の棒状材２で挟んで上下をリング金物４で固定している。ランプシェードの内側で、シート１を挟んだ丸棒状の棒状材２の部分は、縦方向のスリットを持ったスリット入りリング金物５をはめて固定している。さらに、ランプシェードの内側でやや上部の位置には、縦方向のスリットを持ったスリット入りリング金物を先端に備えたＹ字型の止め枠６をはめて、支柱相互の間隔が動かないように固定している。なお、止め枠６は、棒状材２を台座３にしっかり止めておけば不要である。
以上に示した実施例では、シート１を突き合せて結合し、棒状材２で挟んで固定した状態にしているが、組み立ての手順としてシート１の左右端部を前もって棒状材２の半割丸棒に結合しておき、それらを合せることでシート１を突き合せて固定してもよい。逆に、シートの左右端部を前もって相互に突き合せて結合しておいてもよい。シート１を二重にして棒状材２に固定する場合などは、それぞれの手法のものを組み合せるとよい。
また、棒状材の形態は角型でもよい。さらに、シート１と棒状材２を一体に固定する手法としてリング金物を設けているが、直接固定してもよく、止め枠６の形態や手法を含めて様々に考えられる。また、実施例のシート１は、一部に、上下でシートを分離して裏張りの紙のみ上下続きとした帯挿入部分を持っているが、こうした形成は様々に考えられる。なお、電球のソケット設置は、台座に直接あるいは中央部にポールを設けて取りつけてもよく、その他考えられる。台座３はなくてもよい。
【実施例２】
【０００８】  図２は、折り曲げて形成した三枚のシート１でランプシェードを構成した実施例を示す斜視図である。シート１は三角型に折り曲げて、棒状材２に固定してランプシェード全体の形態がゆるやかな曲面を持った三角型を形成するようにしている。その他は、実施例１と同様である。【０００９】  上記の第１、第２実施例以外にも、これらの構成にもとずく照明具は、その他多くの形態を生みだすことが出来る。シート１と棒状材２は、三個のものを示したが、これらの数は限定されることなく成立する。また、棒状材２の上下方向をのばして支柱としたスタンドライトとしての機能形態を示したが、吊り下げ型のペンダントライトの機能形態にすることも自在である。シート１を上下方向で分離して棒状材２に固定してもよい。さらに、シートは台形状に下方をあるいは上方を広げてもよい。また、シートは、一重のみならず重ねて棒状材２に固定してもよい。シートの組み合せ方の仕組みがさらに増えることで、より多くの形態を生みだすことが出来る。さらに、縦方向の棒状材２は斜めに傾斜した状態で組んでもよい。
【実施例３】
【００１０】  図３は、シート１の左右両端部をそれぞれに縦方向の棒状材２で挟んで固定した状態にして、両端部を引き寄せ結合して、ランプシェードを構成した実施例を示す斜視図である。一枚のシート１を折り曲げて三角型を形成している。棒状材２を第１実施例と同様の半割丸棒にしてシート１の端部を挟んで合せて結合している。シート１の左右両端部に固定した丸棒状の棒状材を引き寄せ上下に帯リング７をはめて結合している。棒状材２は二本を重ね合せて支柱として、下方を台座に固定している。この構成手法は、支柱が一ヶ所のため、見る向きによって全体のかたちに顕著な表情の変化をもたらす。
実施例３では一枚のシート１を安定のよい三角型に折り曲げたものを示しているが、これらの形態は、内側に補助枠をつけ加えるなどで、四角型でも丸型でも自在である。さらに、棒状材２を左右に取りつけた状態のシート１を二つ向かい合せて四角型に固定してもよく、その他組み方の数や形態は自在である。
【実施例４】
【００１１】  図４は、実施例１及び実施例２をもとにして、各種のかたちのランプシェードに展開できる意匠効果の高い付加部材８を、上面に取りつけた実施例を示す平面図である。表裏紙張りのプラスチックシートを折り曲げ、あるいは曲面を形成して、シート１と共に棒状材２に挟んで固定した状態にしている。【００１２】  以上の各実施例で明らかなように、縦方向の棒状材で挟んで固定した状態にする共通の基本手法は、各種様々の形態にした付加部材８を内外面の場所を選ばず上下方向にわたって連続してあるいは部分として容易に止め付けることができる。こうしたことを可能にする共通の基本手法が、いかに多様な形態の展開を生みだすかを示すために、以下において実施例をさらに追加、図示しておく。
【実施例５】
【００１３】  図５は、実施例１の図１で示したものと同様の基本形態に、台形状に下方を広げたシート１を、上方部で重ねて棒状材２で挟んで固定して、ランプシェードを形成した実施例である。
【実施例６】
【００１４】  図６は、実施例５の状態のものに、さらに台形状に上方を広げたシート１を下方部で重ねて棒状材２で挟んで固定して、ランプシェードを形成した実施例である。
【実施例７】
【００１５】  図７は、同様の基本形態のものの外側に、上下に平行して輪状を形成するシート１を重ねた状態で棒状材２で挟んで固定して、吊り下げ型のペンダントライトにした実施例である。台座３にかえて、電球ソケットやコードを吊り下げる吊り下げ盤９を上部で、三方向に伸ばした固定プレートで、棒状材２に固定している。【００１６】  以上に示すシート１を重ねて棒状材２で挟んで固定した実施例は、いずれも実施例１の図１の曲面を形成したシート１を基本形態にしてその上に重ねた状態のものを示しているが、図２のように折り曲げたシート１のものでもよいし、これらの重ねるシートのかたちは相互に自在である。
【図面の簡単な説明】
【００１７】
【図１】  本発明の第１実施例を示す斜視図である。
【図２】  本発明の第２実施例を示す斜視図である。
【図３】  本発明の第３実施例を示す斜視図である。
【図４】  本発明の、付加部材を上面に取りつけた実施例を示す上面図である。
【図５】  本発明の第５実施例を示す斜視図である。
【図６】  本発明の第６実施例を示す斜視図である。
【図７】  本発明の第７実施例を示す斜視図である。
【符号の説明】
【００１８】１  シート
２  棒状材
４  リング金物
６  止め枠
８  付加部材
【図１】
0005273363.tif 000002
【図２】
0005273363.tif 000003
【図３】
0005273363.tif 000004
【図４】
0005273363.tif 000005
【図５】
0005273363.tif 000006
【図６】
0005273363.tif 000007
【図７】
0005273363.tif 000008